(57)【要約】【課題】複数の装置間で行われる電気通信において、情報の受信側が必要な情報を受信する機会を確保しつつ、この受信側が受信動作を間欠的に行うことを可能とするためのデータ受信装置等を提供することである。【解決手段】ＲＦ部３は、電力の供給がある間、フレームをなすデータを順次受信する。ＦＥＣデコード部６は、連続する複数回にわたって受信された複数のフレームが共通の放置メッセージを含むときこれを記憶し、連続受信モードから間欠受信モードに移る。その後、更に受信したデータが、記憶されたフレームの所定部分に合致するか否かを判別し、合致すれば、当該データが属するフレームの供給が終了するタイミングに至るまでの間ＲＦ部３の駆動を停止し、合致しなければ駆動停止中であっても駆動を再開することとして連続受信モードへと復帰する。【選択図】図１
2008182595.tif 000002
【特許請求の範囲】
【請求項１】
外部より駆動用の電力が供給されている間、フレームを形成するシリアルデータを順次受信する受信手段と、
前記受信手段が連続する複数回にわたって受信した複数の前記フレームが互いに共通の内容を有する所定時間長のフレームであるか否かを判別する第１の判別手段と、
互いに共通の内容を有する所定時間長のフレームであると判別された前記複数のフレームのひとつを記憶するフレーム記憶手段と、
前記フレーム記憶手段がフレームを記憶した状態で前記受信手段が更に受信したシリアルデータが、前記フレーム記憶手段が記憶するフレームを構成する所定の特徴部分に合致するか否かを判別する第２の判別手段と、
前記受信手段への駆動用の電力への供給、及び、当該供給の遮断を行うことによって、前記受信手段がフレーム全体に相当するシリアルデータを連続して受信する連続受信モード、及び、前記受信手段がシリアルデータのうちフレームの所定部分に相当するもののみを受信する間欠受信モードを実現する電力制御手段と、を備えるデータ受信装置であって、
前記電力制御手段は、
前記フレーム記憶手段がフレームを記憶していないとき、前記受信手段への駆動用の電力の供給を連続して行うことにより前記連続受信モードを実現し、
前記フレーム記憶手段がフレームを記憶した状態で前記受信手段が更に受信したシリアルデータが、前記フレーム記憶手段が記憶するフレームの前記特徴部分に合致する、と前記第２の判別手段が判別したとき、前記受信手段への駆動用の電力の供給を、当該特徴部分を有する所定時間長のフレーム１個の供給が終了するタイミングに至るまでの間遮断することによって、前記間欠受信モードを実現し、
前記フレーム記憶手段がフレームを記憶した状態で前記受信手段が更に受信したシリアルデータが、前記フレーム記憶手段が記憶するフレームの前記特徴部分に合致しない、と前記第２の判別手段が判別したとき、前記受信手段への駆動用の電力の供給を連続して行う状態に移ることにより、前記連続受信モードを実現する、
ことを特徴とするデータ受信装置。
【請求項２】
前記フレーム記憶手段が特徴部分を記憶した状態で前記受信手段が更に受信したシリアルデータの所定のビットが所定の値を有しているか否かを判別する第３の判別手段を備え、
前記電力制御手段は、前記フレーム記憶手段がフレームを記憶した状態で前記受信手段が更に受信したシリアルデータの所定のビットが所定の値を有していないと前記第３の判別手段が判別したとき、前記受信手段への駆動用の電力の供給を連続して行う状態へと移ることにより、前記連続受信モードを実現する、
ことを特徴とする請求項１に記載のデータ受信装置。
【請求項３】
前記電力制御手段は、前記第２の判別手段の判別結果にかかわらず、前記受信手段への駆動用の電力の供給を連続して行う状態へと移る、という処理を所定の周期で行うことにより、当該所定の周期で前記連続受信モードを実現する、
ことを特徴とする請求項１又は２に記載のデータ受信装置。
【請求項４】
前記特徴部分の範囲を指定する範囲データを書き換え可能に記憶する範囲データ記憶手段と、
前記フレーム記憶手段が特徴部分を記憶した状態で前記受信手段が更に受信したシリアルデータのうち前記範囲データ記憶手段が現に記憶している範囲データが指定する範囲の内容が、所定の受信必須データに合致するか否かを判別し、合致すると判別したとき、当該範囲データを書き換え、当該範囲データが指定する範囲を拡大することにより、当該シリアルデータのうち当該範囲データが指定する範囲の内容が前記受信必須データに合致しないようにする範囲書換手段と、を更に備え、
前記第２の判別手段は、前記フレーム記憶手段が特徴部分を記憶した状態で前記受信手段が更に受信したシリアルデータのうち前記範囲データ記憶手段が現に記憶している範囲データが指定する範囲の内容が、前記フレーム記憶手段が記憶するフレームのうち当該範囲データが指定する範囲の内容に合致するか否かを判別するものである、
ことを特徴とする請求項１、２又は３に記載のデータ受信装置。
【請求項５】
前記受信手段は、前記シリアルデータを表す変調波を受信して復調することにより当該シリアルデータを受信する手段を備えるものであって、
前記変調波の電界強度を測定して当該測定の結果を示す信号を生成する電界強度測定手段を更に備え、
前記電力制御手段は、前記電界強度測定手段が生成する信号を取得し、当該信号が示す電界強度が所定値に達しているか否かを判別し、達していないと判別したとき、前記受信手段への駆動用の電力の供給を連続して行う状態へと移ることにより、前記連続受信モードを実現する、
ことを特徴とする請求項１乃至４のいずれか１項に記載のデータ受信装置。
【請求項６】
受信手段が、外部より駆動用の電力が供給されている間、フレームを形成するシリアルデータを順次受信する受信ステップと、
第１の判別手段が、前記受信ステップで連続する複数回にわたって受信された複数の前記フレームが互いに共通の内容を有する所定時間長のフレームであるか否かを判別する第１の判別ステップと、
フレーム記憶手段が、互いに共通の内容を有する所定時間長のフレームであると判別された前記複数のフレームのひとつを記憶するフレーム記憶ステップと、
第２の判別手段が、前記フレーム記憶ステップでフレームが記憶された状態で更に受信されたシリアルデータが、記憶されているフレームを構成する所定の特徴部分に合致するか否かを判別する第２の判別ステップと、
電力供給手段が、前記受信手段への駆動用の電力への供給、及び、当該供給の遮断を行うことによって、前記受信手段がフレーム全体に相当するシリアルデータを連続して受信する連続受信モード、及び、前記受信手段がシリアルデータのうちフレームの所定部分に相当するもののみを受信する間欠受信モードを実現する電力制御ステップと、より構成されるデータ受信制御方法であって、
前記電力供給手段が、
フレームが記憶されていないとき、前記受信手段への駆動用の電力の供給を連続して行うことにより前記連続受信モードを実現し、
フレームが記憶された状態で更に受信されたシリアルデータが、記憶されているフレームの前記特徴部分に合致する、と判別されたとき、前記受信手段への駆動用の電力の供給を、当該特徴部分を有する所定時間長のフレーム１個の供給が終了するタイミングに至るまでの間遮断することによって、前記間欠受信モードを実現し、
フレームが記憶された状態で更に受信されたシリアルデータが、記憶されているフレームの前記特徴部分に合致しない、と判別されたとき、前記受信手段への駆動用の電力の供給を連続して行う状態に移ることにより、前記連続受信モードを実現する、
ことを特徴とするデータ受信制御方法。
【請求項７】
コンピュータを、
外部より駆動用の電力が供給されている間、フレームを形成するシリアルデータを順次受信する受信手段と、
前記受信手段が連続する複数回にわたって受信した複数の前記フレームが互いに共通の内容を有する所定時間長のフレームであるか否かを判別する第１の判別手段と、
互いに共通の内容を有する所定時間長のフレームであると判別された前記複数のフレームのひとつを記憶するフレーム記憶手段と、
前記フレーム記憶手段がフレームを記憶した状態で前記受信手段が更に受信したシリアルデータが、前記フレーム記憶手段が記憶するフレームを構成する所定の特徴部分に合致するか否かを判別する第２の判別手段と、
前記受信手段への駆動用の電力への供給、及び、当該供給の遮断を行うことによって、前記受信手段がフレーム全体に相当するシリアルデータを連続して受信する連続受信モード、及び、前記受信手段がシリアルデータのうちフレームの所定部分に相当するもののみを受信する間欠受信モードを実現する電力制御手段と、を備えるデータ受信装置として機能させるためのプログラムであって、
前記電力制御手段は、
前記フレーム記憶手段がフレームを記憶していないとき、前記受信手段への駆動用の電力の供給を連続して行うことにより前記連続受信モードを実現し、
前記フレーム記憶手段がフレームを記憶した状態で前記受信手段が更に受信したシリアルデータが、前記フレーム記憶手段が記憶するフレームの前記特徴部分に合致する、と前記第２の判別手段が判別したとき、前記受信手段への駆動用の電力の供給を、当該特徴部分を有する所定時間長のフレーム１個の供給が終了するタイミングに至るまでの間遮断することによって、前記間欠受信モードを実現し、
前記フレーム記憶手段がフレームを記憶した状態で前記受信手段が更に受信したシリアルデータが、前記フレーム記憶手段が記憶するフレームの前記特徴部分に合致しない、と前記第２の判別手段が判別したとき、前記受信手段への駆動用の電力の供給を連続して行う状態に移ることにより、前記連続受信モードを実現する、
ことを特徴とするプログラム。
【発明の詳細な説明】
【技術分野】
【０００１】
本発明は、データ受信装置、データ受信制御方法及びプログラムに関する。
【背景技術】
【０００２】
基地局と移動局とからなるトランクド無線システムなどの通信システムでは、移動局が自局への呼び出しの有無を確認する手法として、例えば、ＡＮＳＩ／ＴＩＡ／ＥＩＡ  １０２に定められているように、基地局が制御情報を送信し、移動局が待ち受け時にこれを受信する、という手法がとられることがある。
【０００３】
しかし、近年は、移動局の機能を行う携帯端末の小型化が要請されており、従って移動局に搭載されるバッテリーの容積も小型化が必要となる。この結果、当該バッテリーの電気容量も十分なものを期待しにくくなり、移動局の省電力動作が要請されることとなる。
【０００４】
ところが、移動局が待ち受け時に上述の制御情報を常時受信した場合、受信の動作に要する電力消費を避けられないため、移動局の動作の省電力化が妨げられる、という問題がある。
そこで、この問題を解消して省電力動作を実現する手法として、例えば基地局が、それぞれの移動局を呼び出すための報知情報を、移動局毎に所定のタイミングで送信するように仕様で定めておく、という手法が考えられる（非特許文献１参照）。この手法によれば、各移動局は、自局あての報知情報が送信されるタイミング付近を重点的に受信し、その他の期間での受信動作を休止する、という間欠受信を行いながら正常に呼び出しを受けることが可能になる。
【０００５】
なお、省電力動作を行う移動局の構成としては、例えば図１２に示すようなものが考えられる。この移動局は、図示するように、システム制御部１０１と、ＲＦ（Radio Frequency）電源制御部１０２と、ＲＦ部１０３と、デジタル変換部１０４と、フレーム分割部１０５と、ＦＥＣ（Forward Error Correction：前方向誤り訂正）デコード部１０６と、メッセージ解読部１０７と、より構成されている。
【０００６】
システム制御部１０１は、ＲＦ電源制御部１０２を含むこのデータ受信装置の各部に電力を供給し、また、その他所定の制御を加える。ＲＦ電源制御部１０２は、システム制御部１０１からＲＦ部１０３へ電力を供給するための電流路を、システム制御部１０１の指示に従って接続又は遮断し、これによりＲＦ部１０３による電力消費を制御する。ＲＦ部１０３は、フレームを構成するデータを表す変調波を受信してベースバンド信号を生成し、これをデジタル変換部１０４へと供給する。デジタル変換部１０４は、ＲＦ部１０３より供給されたベースバンド信号の各シンボル区間が表すダイビットの値を判定し、判定結果に基づいて、ＲＦ部１０３が受信した変調波が表すフレームの連続に相当するデータを再生し、フレーム分割部１０５へと供給する。フレーム分割部１０５は、デジタル変換部１０４より供給されたデータを、個々のフレームに相当する部分へと分割し、得られた各フレームをＦＥＣデコード部１０６へと供給する。ＦＥＣデコード部１０６は、フレーム分割部１０５より供給されたフレームに施されたＦＥＣをデコードし、メッセージ解読部１０７へと供給する。メッセージ解読部１０７は、ＦＥＣデコード部１０６より供給されたフレームから、制御用のデータやコンテンツを抽出する。
【非特許文献１】ＡＲＩＢ  ＳＴＤ−Ｔ６１  １．０版  第３分冊
【発明の開示】
【発明が解決しようとする課題】
【０００７】
報知情報を受信するタイミングを移動局毎に定める、という上述の手法によった場合、基地局が上述の仕様に拘束されていない等の理由で、報知情報が送信されるタイミングが不確定であるときは、報知情報を待ち受けるために連続的に受信を行わなければならなかった。このため、受信の動作に要する電力消費を避けられず、移動局の動作の省電力化が妨げられていた。
【０００８】
本発明は、このような問題点に鑑みてなされたもので、複数の装置間で行われる電気通信において、情報の受信側が必要な情報を受信する機会を確保しつつ、当該受信側が受信動作を間欠的に行うことを可能とするためのデータ受信装置、データ受信制御方法及びプログラムを提供することを目的とする。
【課題を解決するための手段】
【０００９】
この目的を達成するため、本発明の第１の観点に係るデータ受信装置は、
外部より駆動用の電力が供給されている間、フレームを形成するシリアルデータを順次受信する受信手段と、
前記受信手段が連続する複数回にわたって受信した複数の前記フレームが互いに共通の内容を有する所定時間長のフレームであるか否かを判別する第１の判別手段と、
互いに共通の内容を有する所定時間長のフレームであると判別された前記複数のフレームのひとつを記憶するフレーム記憶手段と、
前記フレーム記憶手段がフレームを記憶した状態で前記受信手段が更に受信したシリアルデータが、前記フレーム記憶手段が記憶するフレームを構成する所定の特徴部分に合致するか否かを判別する第２の判別手段と、
前記受信手段への駆動用の電力への供給、及び、当該供給の遮断を行うことによって、前記受信手段がフレーム全体に相当するシリアルデータを連続して受信する連続受信モード、及び、前記受信手段がシリアルデータのうちフレームの所定部分に相当するもののみを受信する間欠受信モードを実現する電力制御手段と、を備えるデータ受信装置であって、
前記電力制御手段は、
前記フレーム記憶手段がフレームを記憶していないとき、前記受信手段への駆動用の電力の供給を連続して行うことにより前記連続受信モードを実現し、
前記フレーム記憶手段がフレームを記憶した状態で前記受信手段が更に受信したシリアルデータが、前記フレーム記憶手段が記憶するフレームの前記特徴部分に合致する、と前記第２の判別手段が判別したとき、前記受信手段への駆動用の電力の供給を、当該特徴部分を有する所定時間長のフレーム１個の供給が終了するタイミングに至るまでの間遮断することによって、前記間欠受信モードを実現し、
前記フレーム記憶手段がフレームを記憶した状態で前記受信手段が更に受信したシリアルデータが、前記フレーム記憶手段が記憶するフレームの前記特徴部分に合致しない、と前記第２の判別手段が判別したとき、前記受信手段への駆動用の電力の供給を連続して行う状態に移ることにより、前記連続受信モードを実現する、
ことを特徴とする。
【００１０】
前記データ受信装置は、前記フレーム記憶手段が特徴部分を記憶した状態で前記受信手段が更に受信したシリアルデータの所定のビットが所定の値を有しているか否かを判別する第３の判別手段を備えてもよい。
この場合、前記電力制御手段は、前記フレーム記憶手段がフレームを記憶した状態で前記受信手段が更に受信したシリアルデータの所定のビットが所定の値を有していないと前記第３の判別手段が判別したとき、前記受信手段への駆動用の電力の供給を連続して行う状態へと移ることにより、前記連続受信モードを実現するものであってもよい。
【００１１】
前記電力制御手段は、前記第２の判別手段の判別結果にかかわらず、前記受信手段への駆動用の電力の供給を連続して行う状態へと移る、という処理を所定の周期で行うことにより、当該所定の周期で前記連続受信モードを実現するものであってもよい。
【００１２】
前記データ受信装置は、
前記特徴部分の範囲を指定する範囲データを書き換え可能に記憶する範囲データ記憶手段と、
前記フレーム記憶手段が特徴部分を記憶した状態で前記受信手段が更に受信したシリアルデータのうち前記範囲データ記憶手段が現に記憶している範囲データが指定する範囲の内容が、所定の受信必須データに合致するか否かを判別し、合致すると判別したとき、当該範囲データを書き換え、当該範囲データが指定する範囲を拡大することにより、当該シリアルデータのうち当該範囲データが指定する範囲の内容が前記受信必須データに合致しないようにする範囲書換手段と、を更に備えていてもよい。
この場合、前記第２の判別手段は、前記フレーム記憶手段が特徴部分を記憶した状態で前記受信手段が更に受信したシリアルデータのうち前記範囲データ記憶手段が現に記憶している範囲データが指定する範囲の内容が、前記フレーム記憶手段が記憶するフレームのうち当該範囲データが指定する範囲の内容に合致するか否かを判別するものであってもよい。
【００１３】
前記受信手段は、前記シリアルデータを表す変調波を受信して復調することにより当該シリアルデータを受信する手段を備えるものであってもよい。
この場合、前記データ受信装置は、前記変調波の電界強度を測定して当該測定の結果を示す信号を生成する電界強度測定手段を更に備えていてもよく、
前記電力制御手段は、前記電界強度測定手段が生成する信号を取得し、当該信号が示す電界強度が所定値に達しているか否かを判別し、達していないと判別したとき、前記受信手段への駆動用の電力の供給を連続して行う状態へと移ることにより、前記連続受信モードを実現するものであってもよい。
【００１４】
また、本発明の第２の観点に係るデータ受信制御方法は、
受信手段が、外部より駆動用の電力が供給されている間、フレームを形成するシリアルデータを順次受信する受信ステップと、
第１の判別手段が、前記受信ステップで連続する複数回にわたって受信された複数の前記フレームが互いに共通の内容を有する所定時間長のフレームであるか否かを判別する第１の判別ステップと、
フレーム記憶手段が、互いに共通の内容を有する所定時間長のフレームであると判別された前記複数のフレームのひとつを記憶するフレーム記憶ステップと、
第２の判別手段が、前記フレーム記憶ステップでフレームが記憶された状態で更に受信されたシリアルデータが、記憶されているフレームを構成する所定の特徴部分に合致するか否かを判別する第２の判別ステップと、
電力供給手段が、前記受信手段への駆動用の電力への供給、及び、当該供給の遮断を行うことによって、前記受信手段がフレーム全体に相当するシリアルデータを連続して受信する連続受信モード、及び、前記受信手段がシリアルデータのうちフレームの所定部分に相当するもののみを受信する間欠受信モードを実現する電力制御ステップと、より構成されるデータ受信制御方法であって、
前記電力供給手段が、
フレームが記憶されていないとき、前記受信手段への駆動用の電力の供給を連続して行うことにより前記連続受信モードを実現し、
フレームが記憶された状態で更に受信されたシリアルデータが、記憶されているフレームの前記特徴部分に合致する、と判別されたとき、前記受信手段への駆動用の電力の供給を、当該特徴部分を有する所定時間長のフレーム１個の供給が終了するタイミングに至るまでの間遮断することによって、前記間欠受信モードを実現し、
フレームが記憶された状態で更に受信されたシリアルデータが、記憶されているフレームの前記特徴部分に合致しない、と判別されたとき、前記受信手段への駆動用の電力の供給を連続して行う状態に移ることにより、前記連続受信モードを実現する、
ことを特徴とする。
【００１５】
また、本発明の第３の観点に係るプログラムは、
コンピュータを、
外部より駆動用の電力が供給されている間、フレームを形成するシリアルデータを順次受信する受信手段と、
前記受信手段が連続する複数回にわたって受信した複数の前記フレームが互いに共通の内容を有する所定時間長のフレームであるか否かを判別する第１の判別手段と、
互いに共通の内容を有する所定時間長のフレームであると判別された前記複数のフレームのひとつを記憶するフレーム記憶手段と、
前記フレーム記憶手段がフレームを記憶した状態で前記受信手段が更に受信したシリアルデータが、前記フレーム記憶手段が記憶するフレームを構成する所定の特徴部分に合致するか否かを判別する第２の判別手段と、
前記受信手段への駆動用の電力への供給、及び、当該供給の遮断を行うことによって、前記受信手段がフレーム全体に相当するシリアルデータを連続して受信する連続受信モード、及び、前記受信手段がシリアルデータのうちフレームの所定部分に相当するもののみを受信する間欠受信モードを実現する電力制御手段と、を備えるデータ受信装置として機能させるためのプログラムであって、
前記電力制御手段は、
前記フレーム記憶手段がフレームを記憶していないとき、前記受信手段への駆動用の電力の供給を連続して行うことにより前記連続受信モードを実現し、
前記フレーム記憶手段がフレームを記憶した状態で前記受信手段が更に受信したシリアルデータが、前記フレーム記憶手段が記憶するフレームの前記特徴部分に合致する、と前記第２の判別手段が判別したとき、前記受信手段への駆動用の電力の供給を、当該特徴部分を有する所定時間長のフレーム１個の供給が終了するタイミングに至るまでの間遮断することによって、前記間欠受信モードを実現し、
前記フレーム記憶手段がフレームを記憶した状態で前記受信手段が更に受信したシリアルデータが、前記フレーム記憶手段が記憶するフレームの前記特徴部分に合致しない、と前記第２の判別手段が判別したとき、前記受信手段への駆動用の電力の供給を連続して行う状態に移ることにより、前記連続受信モードを実現する、
ことを特徴とする。
【発明の効果】
【００１６】
本発明によれば、複数の装置間で行われる電気通信において、情報の受信側が必要な情報を受信する機会を確保しつつ、当該受信側が受信動作を間欠的に行うことを可能とするためのデータ受信装置、データ受信制御方法及びプログラムが実現される。
【発明を実施するための最良の形態】
【００１７】
以下、本発明の実施の形態を図面を参照して説明する。
本発明の実施の形態に係るデータ受信装置の構成を図１に示す。図示するように、このデータ受信装置は、システム制御部１と、ＲＦ（Radio Frequency）電源制御部２と、ＲＦ部３と、デジタル変換部４と、フレーム分割部５と、ＦＥＣ（Forward Error Correction：前方向誤り訂正）デコード部６と、メッセージ解読部７と、より構成されている。
【００１８】
システム制御部１は、例えばＣＰＵ（Central Processing Unit）等のプロセッサ、メモリ、このデータ受信装置の各部を制御するための制御回路、及び、このデータ受信装置の各部へと電力を供給する電源回路より構成されており、自己が予め記憶するプログラム等に従って、ＲＦ電源制御部２を含むこのデータ受信装置の各部に電力を供給し、また、その他所定の制御を加える。
【００１９】
ＲＦ電源制御部２は、システム制御部１の電源回路からＲＦ部３に至る電流路と、この電流路の接続及び遮断を行う制御回路とより構成されており、ＦＥＣデコード部６及びメッセージ解読部７が行う後述の処理の結果として供給する指示に従って、当該電流路を接続又は遮断する。
【００２０】
ＲＦ部３は、アンテナ、同調回路、高周波増幅回路、及び、周波数変調波を検波する検波回路より構成されており、フレームをなすデータの連続を表す変調波、例えばＦＳＫ（Frequency Shift Keying）変調波を受信し、増幅して検波することにより、ベースバンド信号を生成する。そして、このベースバンド信号をデジタル変換部４へと供給する。
【００２１】
デジタル変換部４、フレーム分割部５、ＦＥＣデコード部６及びメッセージ解読部７は、いずれも、プロセッサ、このプロセッサが実行するためのプログラム等のデータを記憶すると共にこのプロセッサのワークエリアを提供するメモリ、などより構成されている。また、ＦＥＣデコード部６は更に、例えば発振器及びカウンタ回路を備えており、任意の時点からの経過時間を示す経過時間データを、ＦＥＣデコード部６が実行する他の処理と並行して連続的に生成する。
なお、デジタル変換部４、フレーム分割部５、ＦＥＣデコード部６及びメッセージ解読部７の一部又は全部の機能を単一のプロセッサが行うようにしてもよい。
【００２２】
デジタル変換部４は、ＲＦ部３より供給されたベースバンド信号の各シンボル区間が表すダイビットの値を判定し、判定結果に基づいて、ＲＦ部３が受信したＦＳＫ変調波が表すフレームの連続に相当するデータを再生する。そして、再生されたこのデータをフレーム分割部５へと供給する。
【００２３】
フレーム分割部５は、デジタル変換部４より供給されたデータを、個々のフレームに相当する部分へと分割し、得られた各フレームをＦＥＣデコード部６へと供給する。
【００２４】
ＦＥＣデコード部６は、フレーム分割部５よりフレームを供給されると、当該フレームにＦＥＣが施されていれば、このＦＥＣのデコードを行うことにより、当該フレームの誤り訂正を行う。また、フレームを構成するビットの並べ替え（インターリーブ等）が行われている場合は、フレーム内のビットの並び順の復元も行う。そして、誤り訂正や並び順の復元を経たフレームを、メッセージ解読部７へと供給する。
一方、ＦＥＣデコード部６は、後述する処理を行うことにより、ＲＦ電源制御部２の制御を行う。そして、当該処理において用いるデータである受信必須メッセージを予め記憶する。
【００２５】
メッセージ解読部７は、ＦＥＣデコード部６より誤り訂正ないし並び順の復元を経たフレームを供給されると、このフレームより、制御用のデータやコンテンツあるいはその他、このフレームを用いて伝送された任意のデータを抽出する。そして、抽出されたコンテンツを任意の手法により出力したり、あるいは、抽出された制御用のデータに応答して所定の処理を行う。なお、コンテンツの出力を行う場合、メッセージ解読部７は、例えば液晶ディスプレイや、Ｄ／Ａ（Digital-to-Analog）コンバータ及びスピーカなどからなる出力デバイスを備えていてもよく、あるいはＵＳＢ（Universal Serial Bus）等のインターフェース回路を備えるものとすればよい。
一方、メッセージ解読部７も、後述する処理を行うことにより、ＲＦ電源制御部２の制御を行う。
【００２６】
次に、このデータ受信装置が受信するフレームのデータ構造を、当該フレームがAPCO Project 25に準拠している場合を例として説明する。
【００２７】
図２は、このデータ受信装置が受信するフレームのデータ構造を示す図である。すなわちこのフレームは、図２（ａ）、（ｂ）又は（ｃ）に示すように、先頭より順に、１個のＦＳ（フレーム同期ワード）、１個のＮＩＤ（Network Identifier）、１個ないし３個のＴＳＢＫ（Trunking Signaling Block）、ＳＳ（Status Symbol）、ｎｕｌｌの各データを含んでいる。
【００２８】
なお、ＴＳＢＫを１個含むフレーム、すなわち図２（ａ）に示すようなフレームをＳｉｎｇｌｅ  ＴＳＢＫ  ＯＢＰ（Outbound Signaling Packet）と呼び、ＴＳＢＫを２個含むフレーム、すなわち図２（ｂ）に示すようなフレームをＤｏｕｂｌｅ  ＴＳＢＫ  ＯＢＰと呼び、ＴＳＢＫを３個含むフレーム、すなわち図２（ｃ）に示すようなフレームをＴｒｉｐｌｅ  ＴＳＢＫ  ＯＢＰと呼ぶ。Ｓｉｎｇｌｅ  ＴＳＢＫ  ＯＢＰは１個あたり３７．５ミリ秒で伝送され、Ｄｏｕｂｌｅ  ＴＳＢＫ  ＯＢＰは１個あたり６０ミリ秒で、また、Ｔｒｉｐｌｅ  ＴＳＢＫ  ＯＢＰは１個あたり７５ミリ秒で伝送される。
【００２９】
１個のＴＳＢＫは、後述するトレリス符号化及びインターリーブの処理を施される前の状態では、例えば図３に示すデータ構造を有している。すなわち、１個のＴＳＢＫは、先頭より順に、１ビットのＬＢ（Last Block）、１ビットのＰ、６ビットのＯｐｃｏｄｅ、８ビット（すなわち１オクテット）の製作者ＩＤ（Manufacturer's ID）、任意の内容を有する８オクテットのメッセージ（Arguments）、及び、２オクテットのＴＳＢＫ  ＣＲＣ（Circular Redundancy Code）を含んでいる。なお、Ｏｐｃｏｄｅ及びメッセージには暗号化が施されていてもよい。
【００３０】
ＬＢは、当該ＬＢを含むＴＳＢＫがフレーム内の最後尾のＴＳＢＫであるか否かを示すデータである。Ｐは、後続するＯｐｃｏｄｅ及びメッセージに暗号化が施されているか否かを示すデータである。Ｏｐｃｏｄｅは、後続するメッセージの種類を示すデータである。製造者ＩＤは、メッセージの製作者を識別するデータである。ＴＳＢＫ  ＣＲＣは、当該ＴＳＢＫ  ＣＲＣを含むＴＳＢＫのうち当該ＴＳＢＫ  ＣＲＣ自身を除いたデータ全体のＣＲＣである。
【００３１】
なお、図４は、メッセージがフォーマット“Network_Status_Broadcast”（このメッセージの伝送を行う通信ネットワークのステータスを、当該通信ネットワーク内の基地局等が全受信装置あてに一斉送信するためのフォーマット）に従っているＴＳＢＫのデータ構造を示す図であり、図５は、メッセージがフォーマット“Group Voice Channel Grant”（このメッセージを受信する複数のデータ受信装置を複数の群に区分した場合において、特定の群に属するデータ受信装置に対して音声の伝送を許可するするためのフォーマット）に従っているＴＳＢＫのデータ構造を示す図である。
【００３２】
図示するように、図４のＴＳＢＫでは、メッセージは、その先頭から順に、１オクテットの保留領域（図４において“Reserved”と記された部分）、３オクテットのデータ“System Services Available”、３オクテットのデータ“System Services Supported”及び１オクテットのデータ“Request Priority Level”を含んでいる。
一方、図５のＴＳＢＫでは、メッセージは、その先頭から順に、１オクテットのデータ“Service Options”、２オクテットのデータ“Channel”、２オクテットのデータ“Group Address”及び２オクテットのデータ“Source Address”を含んでいる。
【００３３】
上述したＴＳＢＫは、フレームに組み込まれる前に、トレリス符号化及びインターリーブの処理を施される。
すなわち、例えば図３、図４あるいは図５に示すデータ構造を有するＴＳＢＫは、まず図６に示すように、先頭から２ビットずつトレリス符号化を受ける。（図６において０から４７までの番号が付されている各２ビットの部分すなわちダイビットは、当該番号の順に、４８回に分けてトレリス符号化を受ける。）
トレリス符号化が完了したＴＳＢＫの末尾には、図７に示すように２ビットの終端コードを付される（図７において「９６」及び「９７」の番号を付されている２ビット。なお、図７において各ビットに付された０から９７までの番号は、トレリス符号化を受けたＴＳＢＫ内での各ビットの先頭からの順番を示す。）
そして、終端コードを付されたＴＳＢＫは、例えば図８に示すようにインターリーブされる。すなわち、図７及び図８において同一の番号を付されているビットは同一のビットであり、従って図８に示すように、各ビットは、先頭から順に０番目，１番目，２６番目，２７番目，５０番目，・・・，７３番目，９６番目，９７番目，２４番目，２５番目，の順となるように並び替えられる。
【００３４】
次に、ＦＥＣデコード部６及びメッセージ解読部７がＲＦ電源制御部２を制御する処理を、図９及び図１０を参照して説明する。
まず、初期状態において、ＦＥＣデコード部６及びメッセージ解読部７はＲＦ部３に連続的に電力を供給することを決定し、ＲＦ電源制御部２に、ＲＦ部３への電力の供給を指示する。この結果、ＲＦ電源制御部２はシステム制御部１からＲＦ部３へと電力を供給させ、ＲＦ部３が駆動されるため、このデータ受信装置はデータを受信する動作を連続的に行う。すなわち、連続受信モードに入る（図９、ステップＳ１）。なお、ステップＳ１でＦＥＣデコード部６は、既に後述のステップＳ６で一時記憶しているフレームがある場合、当該フレームの記憶を消去するものとする。
【００３５】
次に、ＦＥＣデコード部６は、フレーム分割部５より供給されたフレームが、単一ブロックフォーマット（すなわちＳｉｎｇｌｅ  ＴＳＢＫ  ＯＢＰ）に従ったフレームであるか否かを判別する（ステップＳ２）。そして、従っていないと判別すると、このデータ受信装置は、連続受信モードを維持する（ステップＳ１）。一方、単一ブロックフォーマットに従っていると判別すると、ＦＥＣデコード部６は当該フレームの誤り訂正やビットの並び順の復元を行った上で、当該フレームをメッセージ解読部７へと供給し、メッセージ解読部７は当該フレームのＴＳＢＫを解読する（ステップＳ３）。
【００３６】
そして、メッセージ解読部７は、ステップＳ３で解読したＴＳＢＫが報知メッセージであるか否かを判別し（ステップＳ４）、報知メッセージではないと判別すると、このデータ受信装置は、連続受信モードを維持する（ステップＳ１）。
【００３７】
なお、ＴＳＢＫが報知メッセージであるか否かの判別は、具体的には、例えば報知メッセージがフォーマット“Group Voice Channel Grant”に従っているとした場合、図１１に示すように、第０〜第２のオクテット（即ち、先頭の３オクテット）と、先頭から５番目及び６番目のオクテット（ただし、５番目のオクテットの先頭２ビットは除く）と、の内容を検証することにより行うことができる。
【００３８】
一方、報知メッセージであると判別すると、メッセージ解読部７は、当該報知メッセージが、今回を含めた直近の連続した所定回数以上、続けて受信されているか否かを判別する（ステップＳ５）。具体的には、例えばメッセージ解読部７は、当該報知メッセージを連続して受信した回数のデータを記憶するものとし、ステップＳ４で当該報知メッセージを受信したと判別したときは当該データを１だけインクリメントする一方、当該報知メッセージを受信していないと判別したときは当該データを０へとリセットするものとした上、ステップＳ５では、当該データのインクリメント後、当該データが所定値に達しているか否かを判別するようにすればよい。
そして、ステップＳ５で、報知メッセージを所定回数以上続けて受信していないと判別すると、このデータ受信装置は、連続受信モードを維持する（ステップＳ１）。
【００３９】
一方、ステップＳ５で、当該報知メッセージを所定回数以上続けて受信したとメッセージ解読部７が判別すると、ＦＥＣデコード部６は、当該報知メッセージを所定回数以上続けて受信したとの判別があったことに応答して、当該報知メッセージを含むフレームを、誤り訂正やビットの並び順の復元を行う前の状態で一時記憶し（ステップＳ６）、間欠受信モードに入る（図９及び図１０、ステップＳ１０）。
【００４０】
間欠受信モードに入ると、まず、ＦＥＣデコード部６は、後述するステップＳ１５で用いる変数Ｃｎを格納する記憶領域を確保し、この記憶領域に所定の初期値を格納する。なお、この初期値はＴＳＢＫのデータ長より小さな値であるものとする。
そして、ＦＥＣデコード部６は、連続受信モードから間欠受信モードへと移った最新の時点からの経過時間を示す間欠受信モード持続時間データを連続的に生成する動作を開始し、これと並行して、ステップＳ１１以下の処理を行う。
【００４１】
ステップＳ１１で、このデータ受信装置は、受信の対象であるＦＳＫ変調波の電界強度が所定値に達しているか否かを判別する（図１０）。ステップＳ１１の処理は、具体的には、例えばＲＦ部３が、自己のアンテナに誘起されているＦＳＫ変調波の強度を計測する電子回路を備えているものとした上、ＲＦ部３が、ＦＥＣデコード部６又はメッセージ解読部７の指示に従って、自己のアンテナに誘起されているＦＳＫ変調波の強度を計測し、計測結果を表す信号をＦＥＣデコード部６又はメッセージ解読部７へと供給する、という手順により行えばよい。
ステップＳ１１で、電界強度が所定値に達していないと判別すると、このデータ受信装置は連続受信モードに復帰し（図９、ステップＳ１）、達していると判別すると、処理をステップＳ１２に移す。
【００４２】
ステップＳ１２では、ＦＥＣデコード部６が、自己の生成する間欠受信モード持続時間データの現在の値が、間欠受信モードに入った時点から所定の満了期間の経過を示しているか否かを判別する。そして、経過していると判別すると、このデータ受信装置は連続受信モードに復帰し（図９、ステップＳ１）、経過していないと判別すると、処理をステップＳ１３に移す。
【００４３】
ステップＳ１３では、ＦＥＣデコード部６が、フレーム分割部５より新たに、ＴＳＢＫのうち先頭から所定個数のビット群、具体的には上述の変数Ｃｎの値に等しい個数のビットを取得する。そして、これらのビット群のうちＬＢに相当するビットの値が、本来とっているべき値として期待されている値に一致するか否かを判別する（ステップＳ１４）。具体的には、例えば、既に取得したフレームを構成するデータの内容等を参照して、ステップＳ１３で新たに取得したビット群を含むＴＳＢＫがフレーム内の最後尾のＴＳＢＫであると判断される場合、ＬＢに相当する当該ビットの値が「０」に一致するか否かを判別し、一方、最後尾のＴＳＢＫでないと判断される場合、当該ビットの値が「１」に一致するか否かを判別すればよい。
【００４４】
そして、期待されている値に一致しないとステップＳ１４で判別すると、このデータ受信装置は連続受信モードに復帰し（図９、ステップＳ１）、一致すると判別すると、処理をステップＳ１５に移す。
【００４５】
ステップＳ１５では、ＦＥＣデコード部６が、ステップＳ１３で新たに取得したビット群と、ステップＳ６で一時記憶したフレームが含むＴＳＢＫ内で当該ビット群に属する各ビットに相当するビットの値とが一致するか否かを判別する。（具体的には、例えば、ステップＳ１３で新たに抽出したビット群内のビットのうちステップＳ１５で最後に判別対象としたビットに後続する位置にある判別対象のビットの値と、ステップＳ６で一時記憶したフレームが含むＴＳＢＫ内で当該判別対象のビットに相当する位置にあるビットの値とが一致するか否かを判別する）。そして、一致しないと判別すると、このデータ受信装置は連続受信モードに復帰し（図９、ステップＳ１）、一致すると判別すると、処理をステップＳ１６に移す。
【００４６】
ステップＳ１６でＦＥＣデコード部６は、ステップＳ１３でもっとも新しく取得したビット群についてステップＳ１５での判別を行った回数の総数（つまり、当該ＴＳＢＫ内で判別が済んだビットの総数）が、上述の変数Ｃｎの値に達したか否かを判別する。そして、達していないと判別すると、ＦＥＣデコード部６は処理をステップＳ１５に戻し、達したと判別すると、処理をステップＳ１７に移す。
【００４７】
ステップＳ１７でＦＥＣデコード部６は、ステップＳ１３でもっとも新しく取得したビット群が、受信必須メッセージとして自己が記憶しているデータに合致しているか否かを判別する。そして、合致していると判別すると、変数Ｃｎを１だけインクリメントして（ステップＳ１８）、処理をステップＳ１５に戻す。
【００４８】
一方、受信必須メッセージに合致していないとステップＳ１７で判別すると、ＦＥＣデコード部６は、ＲＦ部３への電力の供給を遮断することを決定し、ＲＦ電源制御部２に、ＲＦ部３への電力の遮断を指示する。この結果、ＲＦ電源制御部２はシステム制御部１からＲＦ部３への電力の供給を遮断させ、ＲＦ部３の駆動を停止するため、このデータ受信装置はデータを受信する動作を停止する。
【００４９】
このデータ受信装置がデータを受信する動作を停止した後、ＦＥＣデコード部６は、当該停止が始まった時点からの経過時間を示す待機時間データを連続的に生成する動作を開始し、この待機時間データの現在の値が、次のフレームの送信が開始されるタイミングに相当する値に至るのを待機する。そして、当該タイミングに相当する値に至ると、ＦＥＣデコード部６は待機期間が満了したものとして待機時間データの生成を中止し、このデータ受信装置は処理をステップＳ１１に戻す。この結果、間欠受信モードが維持される。
【００５０】
なお、ＦＥＣデコード部６は、例えば、上述の報知メッセージが所定の時間長のフレームを用いて伝送される（例えば、必ずＳｉｎｇｌｅ  ＴＳＢＫ  ＯＢＰを用いて伝送される）ことが既知である場合は、当該所定の時間長に基づいて、次のフレームの送信が開始されるタイミングを特定すればよい。
【００５１】
このデータ受信装置は、以上説明した動作を行うことにより、連続受信モードと間欠受信モードとの間を遷移しつつ、データの受信を行う。
この結果、このデータ受信装置は、まず連続受信モードで、報知メッセージであると判断されるデータが一定数の連続したフレームから連続して得た場合、この報知メッセージのうち一定の特徴を備えた部分が送信される期間のみ受信動作を行う間欠受信モードに入る。そして、間欠受信モードで順次受信するこの部分が当該特徴を有している間は、間欠受信モードを継続し、当該特徴と異なる内容を有した部分を受信した場合は、連続受信モードに復帰する。
【００５２】
ただし、パケットを表す変調波の電界強度が十分でなく、フレームを構成するデータが誤って復元される可能性が高い場合には、連続受信モードへの復帰が行われる。
また、間欠受信モードに入ってから一定の時間が経過した場合にも、連続受信モードへの復帰が行われるため、例えば報知メッセージが有する特徴自体が変化したような場合にも、当該特徴を表すデータが定期的に更新される結果、間欠受信が正しく行われる。
【００５３】
また、間欠受信モードにおいてその有無が検証される対象である、上述の特徴を表すデータのビット数は、所定の受信必須メッセージの特徴と合致してしまうことなく区別できるようなビット数まで拡張される。一方、この拡張の結果、フレームのうち受信必須メッセージに相当する部分は必ず受信されることとなる。
【００５４】
なお、このデータ受信装置の構成は、上述のものに限られない。
例えば、このデータ受信装置の各部のうちプロセッサより構成される部分は、プロセッサに代えて専用の電子回路より構成されていてもよい。また、ＲＦ部３は有線回線を介して変調波を受信してもよい。
【００５５】
また、受信する対象であるフレームのデータ構造は必ずしも上述したものに限られず、また、フレームを構成するビットの符号化や並び替えの態様も上述のものに限られない。また、受信する対象のフレームは必ずしも符号化やビットの並べ替えを施されたものである必要はない。また、間欠受信モードにおいて検証の対象である部分は必ずしもＴＳＢＫの先頭部分である必要はない。
【００５６】
以上、この発明の実施の形態を説明したが、この発明にかかるデータ受信装置は、専用のシステムによらず、通常のコンピュータシステムを用いて実現可能である。
例えば、電源回路、アンテナ及び高周波増幅回路などを備えたコンピュータに上述のデータ受信装置の動作を実行させるためのプログラムを格納した記録媒体（ＣＤ−ＲＯＭ、フレキシブルディスク等）から該プログラムをインストールすることにより、上述の処理を実行するデータ受信装置を構成することができる。
【００５７】
また、例えば、通信回線のＢＢＳにこのプログラムをアップロードし、これらを通信回線を介して配信してもよく、また、このプログラムを表す信号により搬送波を変調し、得られた変調波を伝送し、この変調波を受信した装置が変調波を復調して該プログラムを復元するようにしてもよい。
そして、このプログラムを起動し、ＯＳの制御下に、他のアプリケーションプログラムと同様に実行することにより、上述の処理を実行することができる。
【００５８】
なお、ＯＳが処理の一部を分担する場合、あるいは、ＯＳが本願発明の１つの構成要素の一部を構成するような場合には、記録媒体には、その部分を除いたプログラムを格納してもよい。この場合も、この発明では、その記録媒体には、コンピュータが実行する各機能又はステップを実行するためのプログラムが格納されているものとする。
【図面の簡単な説明】
【００５９】
【図１】本発明の実施形態に係るデータ受信装置の構成を示す図である。
【図２】（ａ）、（ｂ）及び（ｃ）は、それぞれフレームのデータ構造を示す図である。
【図３】ＴＳＢＫのデータ構造を示す図である。
【図４】フォーマット“Network_Status_Broadcast”に従うＴＳＢＫのデータ構造を示す図である。
【図５】フォーマット“Group Voice Channel Grant”に従うＴＳＢＫのデータ構造を示す図である。
【図６】ＴＳＢＫ内のダイビットがトレリス符号化を受ける順序を示す図である。
【図７】ＴＳＢＫに終端コードが付された状態を示す図である。
【図８】ＴＳＢＫがインターリーブされた状態を示す図である。
【図９】ＦＥＣデコード部及びメッセージ解読部がＲＦ電源制御部を制御する処理の流れを示すフローチャートである。
【図１０】ＦＥＣデコード部及びメッセージ解読部がＲＦ電源制御部を制御する処理の流れを示すフローチャートの続きである。
【図１１】フォーマット“Group Voice Channel Grant”に従うＴＳＢＫのうち検証の対象となるビットを示す図である。
【図１２】従来の技術に係るデータ受信装置の構成を示す図である。
【符号の説明】
【００６０】
１    システム制御部
２    ＲＦ電源制御部
３    ＲＦ部
４    デジタル変換部
５    フレーム分割部
６    ＦＥＣデコード部
７    メッセージ解読部
【図１】
2008182595.tif 000003
【図２】
2008182595.tif 000004
【図３】
2008182595.tif 000005
【図４】
2008182595.tif 000006
【図５】
2008182595.tif 000007
【図６】
2008182595.tif 000008
【図７】
2008182595.tif 000009
【図８】
2008182595.tif 000010
【図９】
2008182595.tif 000011
【図１０】
2008182595.tif 000012
【図１１】
2008182595.tif 000013
【図１２】
2008182595.tif 000014